(57)【要約】      （修正有）【課題】構造内からの空気の通気に関し、より詳細には、複合ハニカムコアパネルからの通気を提供する。【解決手段】締め具アセンブリ１０が、基部１２を通って延伸する穴１４を画定する基部を含む。締め具アセンブリは、レセプタクル１６をさらに含み、レセプタクルは側壁１８を含み、側壁はレセプタクルを通って延伸するチャネル２０を画定する。チャネルは、側壁によって画定される第１の開口部２２から側壁によって画定される第２の開口部２４まで延伸し、側壁は基部に接続され、第２の開口部は、基部の穴と整列する。レセプタクルの側壁は、側壁を通って延伸する通気口２６を画定する。レセプタクルおよび基部は、側壁の通気口、レセプタクルのチャネル２０、レセプタクルの側壁の第２の開口部、および基部の穴を通る流路２８を画定する。【選択図】図１
2018118718.tif 000002
【特許請求の範囲】
【請求項１】
基部を通って延伸する穴を有する基部と、
側壁を含むレセプタクルと、
を備える、締め具アセンブリであって、
前記側壁は、前記レセプタクルを通って延伸するチャネルを画定し、
前記チャネルは、前記側壁によって画定される第1の開口部から、前記側壁によって画定される第2の開口部まで延伸し、
前記側壁は前記基部に接続され、前記第2の開口部は前記基部の前記穴と整列し、
前記レセプタクルの前記側壁は、前記側壁を通って延伸する通気口をさらに画定し、前記レセプタクルおよび前記基部は、前記側壁の前記通気口、前記レセプタクルの前記チャネル、前記レセプタクルの前記側壁の前記第2の開口部、および前記基部の前記穴を通る流路を画定する、
締め具アセンブリ。
【請求項２】
前記基部が、前記レセプタクルの側壁から離れて横方向に延伸するプレートを備える、請求項1に記載の締め具アセンブリ。
【請求項３】
シャフトに接続されたヘッドを備える締め具をさらに含む締め具アセンブリであって、
前記ヘッドは、前記第1の開口部の寸法より大きな寸法を有し、
前記シャフトは、前記レセプタクル内の前記チャネルよりも小さい寸法を有し、前記ヘッドが前記第1の開口部を閉鎖する位置にある状態で、前記シャフトは、前記レセプタクルの前記側壁から離間して前記チャネル内に位置する、
請求項1または2に記載の締め具アセンブリ。
【請求項４】
前記側壁に接続された皿状壁をさらに含む締め具アセンブリであって、前記ヘッドが前記皿状壁に配置された状態で、前記ヘッドは前記第1の開口部を閉鎖する位置にあり、前記シャフトは前記レセプタクルの前記チャネルおよび前記基部の前記穴を通って延伸する、請求項3に記載の締め具アセンブリ。
【請求項５】
基部を通って延伸する穴を有する基部と、
側壁を備えるレセプタクルであって、
前記側壁は、前記レセプタクルを通って延伸するチャネルを画定し、
前記チャネルは、前記側壁によって画定される第1の開口部から、前記側壁によって画定される第2の開口部まで延伸し、
前記側壁は前記基部に接続され、前記第2の開口部は前記基部の前記穴と整列する、
レセプタクルと、
シャフトに接続されたヘッドを備える締め具であって、
前記締め具は、前記ヘッドおよび前記シャフトを通って延伸する締め具チャネルを有し、
前記締め具チャネルは、前記ヘッドによって画定される第1の開口部から、前記シャフトによって画定される第2の開口部まで延伸し、
前記ヘッドは、前記レセプタクルの前記側壁によって画定される前記第1の開口部よりも大きな寸法を有し、前記ヘッドが前記側壁の前記第1の開口部を覆う位置に配置された状態で、前記シャフトは前記レセプタクルの前記チャネルを通って延伸し、前記シャフトは前記基部の前記穴を通って延伸し、
流路は、前記ヘッドによって画定される前記第1の開口部から、前記締め具チャネルおよび前記シャフトの前記第2の開口部を通って延伸するように画定される、
締め具と
を備える、締め具アセンブリ。
【請求項６】
前記基部が、前記レセプタクルの前記側壁から離れて横方向に延伸するプレートを備える、請求項5に記載の締め具アセンブリ。
【請求項７】
前記側壁に接続された皿状壁をさらに含む締め具アセンブリであって、前記ヘッドが前記レセプタクルの前記第1の開口部を覆う位置に配置された状態で、前記ヘッドの少なくとも一部が前記皿状壁に配置される、請求項5または6に記載の締め具アセンブリ。
【請求項８】
第2のパネルから離間した第1のパネルと、前記第1のパネルと前記第2のパネルとの間に位置するハニカム構造とを備えるハニカムコアパネルを通気する方法であって、
前記第1のパネル、前記ハニカム構造および前記第2のパネルを通って延伸する孔を前記ハニカムコアパネル内に形成するステップと、
レセプタクルを前記孔に挿入するステップであって、
前記レセプタクルは、前記レセプタクルを通って、側壁によって画定される第1の開口部から前記側壁によって画定される第2の開口部まで延伸するチャネルを画定する側壁を有し、
前記側壁は、前記側壁の外面から前記チャネルへのアクセスを提供する、前記第1の開口部と前記第2の開口部との間に位置する通気口を画定し、
前記側壁に接続された基部であって前記第2の開口部が前記基部の穴と整列する基部を前記第2のパネルに固定するステップを含む、
ステップと、
前記チャネルに締め具を挿入するステップであって、
前記締め具は、ヘッドおよび前記ヘッドに接続されたシャフトを含み、前記ヘッドは、前記レセプタクルの前記第1の開口部より大きな寸法を有し、
前記シャフトは、前記レセプタクルの前記チャネルおよび前記基部の前記穴よりも小さい寸法を有し、前記ヘッドが前記レセプタクルの前記第1の開口部を閉鎖する位置にある状態で、前記シャフトは前記チャネルおよび前記基部の前記穴を通って、前記基部の前記穴から出るように延伸して、流路を形成し、前記流路は、前記通気口、前記レセプタクルの前記チャネル、および前記基部の前記穴を通る、
ステップと
を含む、方法。
【請求項９】
前記孔を形成するステップが、複数の中空管構造を含む前記ハニカム構造に前記孔を穿孔するステップを含み、各中空管構造は、前記第1のパネルに接着される第1の端部と、前記第2のパネルに接着される第2の端部とを有する、請求項8に記載の方法。
【請求項１０】
前記穿孔するステップが、開放ポケット構成を形成する少なくとも1つの中空管構造の側壁を切断するステップを含む、請求項9に記載の方法。
【請求項１１】
前記レセプタクルを前記孔に挿入する前記ステップが、前記レセプタクルの前記側壁と前記少なくとも1つの開放ポケット構成に隣接する前記通気口とを位置決めするステップを含み、前記基部を固定する前記ステップが、前記基部を前記第2のパネルに接着して、前記基部と前記第2のパネルとの間に気密シールを形成するステップを含む、請求項10に記載の方法。
【請求項１２】
前記レセプタクルを前記孔に挿入する前記ステップが、前記レセプタクルの端部を前記第2のパネルの前記孔を通じて挿入するステップと、前記レセプタクルの前記端部を前記第1のパネルの外面から離して位置決めするステップと、を含む、請求項8から11のいずれか一項に記載の方法。
【請求項１３】
オーバーレイを前記第1のパネルの外面上に位置決めするステップと、前記第1のパネルに位置する前記孔を覆うステップと、前記オーバーレイと前記締め具の前記ヘッドとの間に位置する前記孔内に離間領域を形成するステップと、をさらに含む、請求項12に記載の方法。
【請求項１４】
前記オーバーレイを前記第1のパネルの前記外面に接着させ、前記オーバーレイと前記第1のパネルとの間に気密シールを形成するステップをさらに含む、請求項13に記載の方法。
【請求項１５】
第2のパネルから離間した第1のパネルと、前記第1のパネルと前記第2のパネルとの間に位置するハニカム構造とを備えるハニカムコアパネルを通気する方法であって、
前記第1のパネル、前記ハニカム構造および前記第2のパネルを通って延伸する孔を前記ハニカムコアパネル内に形成するステップと、
レセプタクルを前記孔に挿入するステップであって、前記レセプタクルは、前記レセプタクルを通って、側壁によって画定される第1の開口部から前記側壁によって画定される第2の開口部まで延伸するチャネルを画定する側壁を有するステップ、および、前記側壁に接続された基部であって前記第2の開口部が前記基部の穴と整列する基部を前記第2のパネルに固定するステップと、
前記チャネルに締め具を挿入するステップであって、
前記締め具は、シャフトに接続されたヘッドを含み、前記ヘッドは、前記第1の開口部より大きな寸法を有し、
前記締め具は、前記ヘッドおよび前記シャフトを通って延伸する締め具チャネルを有し、
前記締め具チャネルは、前記ヘッドによって画定される第1の開口部から前記シャフトによって画定される第2の開口部まで延伸し、このため、前記ヘッドが前記側壁の前記第1の開口部を覆うように配置された状態で、前記シャフトは前記レセプタクルの前記チャネルおよび前記基部の前記穴を通って延伸し、前記第1の開口部から延伸する前記締め具チャネルで流路を形成し、前記流路は、前記孔内に位置し、前記ヘッドによって画定され、前記シャフトの第2の開口部を通って前記ヘッドおよび前記シャフトを通って延伸する、
ステップと
を含む、方法。
【請求項１６】
前記孔を形成するステップが、前記第1のパネルおよび第2のパネルならびに前記ハニカム構造に前記孔を穿孔するステップを含む、請求項15に記載の方法。
【請求項１７】
前記レセプタクルを前記孔に挿入する前記ステップが、前記レセプタクルの端部を前記第2のパネルの前記孔を通じて挿入するステップと、前記レセプタクルの前記端部を前記第1のパネルの外面から離して位置決めするステップと、を含む、請求項15または16に記載の方法。
【請求項１８】
前記基部を固定する前記ステップが、前記基部を前記第2のパネルに接着させるステップと、前記基部と前記第2のパネルとの間に気密シールを形成するステップと、を含む、請求項15から17のいずれか一項に記載の方法。
【請求項１９】
オーバーレイを前記第1のパネルの外面上に位置決めするステップと、前記第1のパネルに位置する前記孔を覆うステップと、前記オーバーレイと前記締め具の前記ヘッドとの間に位置する前記孔内に離間領域を形成するステップと、をさらに含む、請求項15から18のいずれか一項に記載の方法。
【請求項２０】
オーバーレイを前記第1のパネルの外面に接着させるステップと、前記オーバーレイと前記第1のパネルとの間に気密シールを形成するステップと、をさらに含む、請求項15から19のいずれか一項に記載の方法。
【発明の詳細な説明】
【技術分野】
【０００１】
本開示は、構造内からの空気の通気に関し、より詳細には、複合ハニカムコアパネルからの通気に関する。
【背景技術】
【０００２】
ハニカムコアを挟むパネルを含む複合構造アセンブリの設置時には、複合構造アセンブリ内に空気などのガスが閉じ込められる。これは、複合構造アセンブリの航空機内への設置中に発生し、問題になる可能性がある。複合構造アセンブリは、外側スキンまたはパネルおよびハニカムコアを含む複合構造アセンブリを通って延伸する孔を含む。孔は、締め具および締め具ブラケットを収容する。締め具は、複合構造アセンブリを別の構造に固定するために締め具ブラケットと共に使用される。設置中、締め具ブラケットは、複合構造アセンブリの片側に固定または接着される。締め具がブラケットを通って延伸して他の構造に固定された状態で、締め具とブラケットが孔の片側に関連する孔の気密シールを形成する。複合構造アセンブリを固定した状態で、複合構造アセンブリの対向側面にオーバーレイを設置する。
【０００３】
オーバーレイは、床構造のためのカーペットテープまたはギャレーマット、または航空機の内部客室構造のための装飾カバーのような多種多様なカバーを含むことができる。例えば、ギャレーマットが複合構造アセンブリの対向側面に配置された状態で、ギャレーマットは、複合構造アセンブリに接着され、複合構造アセンブリの孔の対向側面を気密に密閉する。複合構造アセンブリを固定し、カバーを設置した状態で、孔を閉じ、気密に密閉する。
【０００４】
孔内に閉じ込められた空気は、おおよそ、複合構造アセンブリの設置時、および複合構造アセンブリを設置するために使用される締め具および締め具ブラケットを収容する孔を密閉するオーバーレイの設置時に存在した大気圧である。航空機が飛行中に高度を上昇すると、例えば、複合構造アセンブリの外側からオーバーレイに作用する空気圧は、気密に密閉された孔内に閉じ込められた空気圧に比べて減少する。孔内の比較的高い空気圧は、複合構造アセンブリから離れる方向に、孔の箇所でオーバーレイを変形させて膨らませる、または発泡させる。オーバーレイに対して穴の外側に位置する空気圧が変化すると、膨らみまたは発泡の効果が変化する。発泡現象は、航空機がある高度に戻ると治まり、複合構造アセンブリの外側からオーバーレイに作用する圧力と、オーバーレイの対向側面の孔内に配置された圧力がより均等になるまたは均衡するようになる。
【０００５】
例えば、オーバーレイに加えられた発泡または膨らみ効果は、オーバーレイを床から上方に突出させ、オーバーレイ上を歩く際に望ましくない危険を呈したり、飛行中にオーバーレイを横切って物品を移動させる際に障害を生じさせたりする可能性がある。複合構造アセンブリが配置される他の例では、一例として壁構造があり、オーバーレイは装飾カバーである。複合構造アセンブリ内の締め具および締め具ブラケットを収容する孔内の空気圧が、例えば、孔の上に延在する装飾カバー上に作用する複合構造アセンブリの外側の空気圧よりも高いという不均衡に基づいて、装飾カバーも同様に歪んでしまう。
【発明の概要】
【発明が解決しようとする課題】
【０００６】
複合構造アセンブリ内の締め具アセンブリを収容する孔を気密に密封するオーバーレイの歪みを緩和または除去する必要がある。その結果、航空機の飛行中にオーバーレイの歪みを緩和または回避するために、複合構造アセンブリの設置中に複合構造アセンブリの孔内に閉じ込められた空気と、孔を覆うように配置されたオーバーレイに作用する孔の外側の空気圧とを均等にする必要がある。
【課題を解決するための手段】
【０００７】
一例は、基部を通って延伸する穴を有する基部を含む締め具アセンブリを含む。締め具アセンブリはさらに、レセプタクルをさらに含み、レセプタクルは側壁を含む。側壁は、レセプタクルを通って延伸するチャネルを画定し、チャネルは、側壁によって画定される第1の開口部から、側壁によって画定される第2の開口部まで延伸する。側壁は基部に接続され、第2の開口部は基部の穴と整列する。レセプタクルの側壁は、側壁を通って延伸する通気口をさらに画定する。レセプタクルおよび基部は、側壁の通気口、レセプタクルのチャネル、レセプタクルの側壁の第2の開口部、および基部の穴を通る流路を画定する。
【０００８】
別の例は、基部を通って延伸する穴を画定する基部を含む締め具アセンブリを含む。締め具アセンブリは、側壁を含むレセプタクルをさらに含み、側壁は、レセプタクルを通って延伸するチャネルを画定する。チャネルは、側壁によって画定される第1の開口部から側壁によって画定される第2の開口部まで延伸し、側壁は基部に接続され、第2の開口部は、基部の穴と整列する。締め具アセンブリは、シャフトに接続されたヘッドをさらに含み、締め具は、ヘッドおよびシャフトを通って延伸するチャネルを画定し、締め具チャネルは、ヘッドによって画定される第1の開口部からシャフトによって画定される第2の開口部まで延伸する。ヘッドは、レセプタクルの側壁によって画定される第1の開口部よりも大きな寸法を有し、このため、ヘッドが側壁の第1の開口部を覆う位置に配置された状態で、シャフトはレセプタクルのチャネルを通って延伸し、シャフトは基部の穴を通って延伸する。流路は、ヘッドによって画定される第1の開口部から締め具チャネルおよびシャフトの第2の開口部を通って延伸するように画定される。
【０００９】
別の例は、第2のパネルから離間した第1のパネルと、第1のパネルと第2のパネルの間に位置するハニカム構造とを含むハニカムコアパネルを通気する方法を含む。この方法は、第1のパネル、ハニカム構造、および第2のパネルを通って延伸するハニカムコアパネル内に孔を形成するステップを含む。この方法は、孔にレセプタクルを挿入するステップをさらに含み、レセプタクルは、レセプタクルを通って、側壁によって画定される第1の開口部から、側壁によって画定される第2の開口部まで延伸するチャネルを画定する側壁を有する。側壁は、側壁の外面からチャネルへのアクセスを提供する、第1の開口部と第2の開口部との間に位置する通気口を画定し、レセプタクルを挿入するステップは、側壁に接続された基部であって第2の開口部が基部の穴と整列する基部を第2のパネルに固定するステップをさらに含む。この方法は、締め具をチャネルに挿入するステップをさらに含み、締め具は、ヘッドおよびヘッドに接続されたシャフトを含み、ヘッドは、レセプタクルの第1の開口部より大きな寸法を有し、シャフトは、レセプタクルのチャネルおよび基部の穴よりも小さい寸法を有する。ヘッドがレセプタクルの第1の開口部を閉鎖する位置にある状態で、シャフトはチャネルおよび基部の穴を通って、基部の穴から出るように延伸して、流路を形成し、この流路は、通気口、レセプタクルのチャネル、および基部の穴を通る。
【００１０】
別の例は、第2のパネルから離間した第1のパネルと、第1のパネルと第2のパネルの間に位置するハニカム構造とを備えるハニカムコアパネルを通気する方法を含む。この方法は、第1のパネル、ハニカム構造および第2のパネルを通って延伸する孔をハニカムコアパネル内に形成するステップを含む。この方法は、レセプタクルを孔に挿入するステップであって、レセプタクルは、レセプタクルを通って、側壁によって画定される第1の開口部から側壁によって画定される第2の開口部まで延伸するチャネルを画定する側壁を有する、ステップと、側壁に接続された基部であって第2の開口部が基部の穴と整列する基部を第2のパネルに固定するステップをさらに含む。この方法は、締め具をチャネルに挿入するステップをさらに含み、締め具はシャフトに接続されたヘッドを含み、ヘッドは第1の開口部より大きな寸法を有する。締め具は、ヘッドおよびシャフトを通って延伸し、ヘッドによって画定される第1の開口部からシャフトによって画定される第2の開口部まで延伸する締め具チャネルを有する。ヘッドが側壁の第1の開口部を覆うように配置された状態で、シャフトはレセプタクルのチャネルおよび基部の穴を通って延伸し、第1の開口部から延伸する締め具チャネルで流路を形成し、この流路は、孔内に位置し、ヘッドによって画定され、シャフトの第2の開口部を通ってヘッドおよびシャフトを通って延伸する。
【００１１】
説明された形状、機能、および利点を、さまざまな実施形態において独立して達成することができ、または、さらに別の実施形態で組み合わせることが可能であり、そのさらなる詳細が以下の説明および図面を参照して理解され得る。
【図面の簡単な説明】
【００１２】
【図１】ハニカムコアを挟むパネルを含む複合構造アセンブリを固定する締め具アセンブリの第1の例の断面図である。
【図２】複合構造アセンブリを部分的に破断した図1の斜視図である。
【図３】図1の締め具アセンブリのレセプタクルおよび基部の斜視図である。
【図４】ハニカムコアを挟むパネルを含む複合構造アセンブリを固定する締め具アセンブリの第2の例の断面図である。
【図５】複合構造アセンブリを部分的に破断した図4の斜視図である。
【図６】ハニカムコアパネルを通気する方法の第1の例のフローチャートである。
【図７】ハニカムコアパネルを通気する方法の第2の例のフローチャートである。
【発明を実施するための形態】
【００１３】
先に述べたように、締め具アセンブリを収容する複合構造アセンブリの孔内の空気圧と、複合構造アセンブリおよび孔を覆うオーバーレイに作用する空気圧との間の均衡を維持する必要がある。空気圧間の均衡を保ちながら、孔を覆うように配置されたオーバーレイは、航空機が上昇して飛行中の高度に達すると、孔を横切って平坦な位置を維持する。
【００１４】
図1〜図3を参照すると、オーバーレイをより平坦な位置に維持し、航空機が上昇して飛行中に高度を得るにつれてオーバーレイの歪みを緩和または除去するために空気圧の均衡を提供する締め具アセンブリ10の第1の例が示されている。締め具アセンブリ10の第1の例は、基部12を含み、基部12は基部12を通って延伸する穴14を含む。基部12は、金属や複合材料のような強い材料、または同等に強い材料で構成される。締め具アセンブリ10は、レセプタクル16をさらに含み、レセプタクル16は、基部12のために使用されるような強い材料でも構成される側壁18を含む。側壁18は、レセプタクル16を通って延伸するチャネル20を画定する。図1および図2を参照すると、チャネル20は、側壁18によって画定される第1の開口部22から、側壁18によって画定される第2の開口部24まで延伸する。
【００１５】
レセプタクル16の基部12と側壁18は一緒に接続されており、この例では単一部品構造として構成されている。レセプタクル16の基部12および側壁18は、金属のような同じ材料で作られている。基部12およびレセプタクル16を、別個の部品から構成し、溶接または接着などの従来の方法によって一緒に固定することができる。基部12と側壁18とが一緒に接続された状態で、側壁18の第2の開口部24は、基部12の穴14と整列する。
【００１６】
レセプタクル16の図1〜図3に示す側壁18は、側壁18の外側からチャネル20へのアクセスを提供する、側壁18を通って延伸する通気口26をさらに画定する。レセプタクル16および基部12は、側壁18の通気口26、レセプタクル16のチャネル20、およびレセプタクル16の側壁18の第2の開口部24を通って延伸する流路28を画定する。流路28は、続いて、基部12の穴14を通って延伸している。本明細書で論じるように、流路28は、通気口26およびチャネル20の外側に位置する空気が流路28に沿って移動し、基部12の穴14から出ることを可能にする。
【００１７】
基部12は、この例では、環状プレート30で構成されている。基部12および穴14を、必要に応じて、または製造者が所望する形状で構成することができる。基部12は、レセプタクル16の側壁18から離れて横方向に延伸している。本明細書で説明するこの構成は、基部12の固定を容易にする。この例では、側壁18の内面32は、チャネル20のための円筒形状の境界を画定し、チャネル20を、必要に応じて、または製造者が所望する形状で構成することもできる。
【００１８】
締め具アセンブリ10は、この例では、シャフト38に接続されたヘッド36を含む締め具34をさらに含む。ヘッド36は、レセプタクル16の側壁18の第1の開口部22の寸法より大きな寸法を有し、締め具34が固定位置にある状態で、ヘッド36は、本明細書でさらに論じるように、第1の開口部22を閉鎖する位置にあり、チャネル20の一端部を閉鎖する。シャフト38は、チャネル20より小さい寸法を有する。シャフト38がレセプタクル16のチャネル20内に配置された状態で、締め具34のシャフト38は、レセプタクル16の側壁18から離間して配置される。
【００１９】
この例では、ヘッド36が皿状壁40に配置されるように側壁18に接続された皿状壁40が提供され、ヘッド36は、第1の開口部22を閉鎖する位置にあり、シャフト38は、レセプタクル16のチャネル20および基部12の穴14を通って延伸する。固定されたまたは接続された位置にある締め具34が、複合構造アセンブリ41を別の構造（図示せず）に固定した状態で、ヘッド36は第1の開口部22を覆う皿状壁40上に受け入れられる。
【００２０】
複合構造アセンブリ41は、例えば航空機内に固定され、航空機客室内の床または他の内部構造のための構造部品を提供する。複合構造アセンブリ41は、第2のパネル44から離間した第1のパネル42を含む。第1のパネル42および第2のパネル44は、それぞれ、この例では、複合材料で構成されている。第1のパネル42と第2のパネル44との間に、ハニカムコア46が配置され、このハニカムコア46も、この例では、複合材料で構成されている。ハニカムコア46は、複合構造アセンブリ41の補強構造であり、第1のパネル42と第2のパネル44との間に延伸する複数の中空管構造48を含む。各中空管構造48は、複合構造アセンブリ41が強く軽量な構造を提供するように、第1のパネル42と第2のパネル44との間に延在する構造48内に開放空間を提供する。
【００２１】
第1のパネル42と第2のパネル44との間に延在する中空管構造48を、第1のパネル42と第2のパネル44との間に開放空間を画定する複数の異なる形状または構成から1つを形成するように構成することができる。この例では、各中空管構造48は、六角形の開口部を形成する。中空管構造48は、図1および図2に見られるように、他の同様の形状の中空管構造48と隣接関係に位置する。中空管構造48の第1の端部49は接着剤50で第1のパネル42に固定され、中空管構造48の第2の端部51は接着剤52で第2のパネル44に固定される。
【００２２】
第1のパネル42、ハニカムコア46および第2のパネル44を通って延伸する孔54が、それによって画定される。孔54は、この例では、複合構造アセンブリ41を穿孔して形成されている。図1および図2を参照すると、レセプタクル16の少なくとも一部が孔54内に配置され、基部12は第2のパネル44に接着剤56で接着され、基部12と第2のパネル44との間に気密シールを提供する。オーバーレイ58は、第1のパネル42および孔54を横切って延伸し、それらを覆うように配置される。オーバーレイ58は、接着剤60で第1のパネル42に接着され、オーバーレイ58と第1のパネル42との間に気密シールを形成し、孔54の周りで第1のパネル42に接着された状態で、第1のパネル42の孔54にオーバーレイ58によって気密シールが形成される。先に述べたように、オーバーレイ58は、複合構造アセンブリ41との被覆関係に適用される複数のカバーのうちの1つを含むことができる。オーバーレイは、テープ、カーペット、ギャレーマット、装飾的な壁のカバーなどを含むことができる。オーバーレイ58の側面55は、第1のパネル42の孔54を横切って延伸し、締め具34のヘッド36に面するように配置される。この例では、皿状壁40およびヘッド36は、図1および図2に見られるように、オーバーレイ58の側面55から離間して孔54内に配置され、孔54内でその間に離間領域Sを形成する。
【００２３】
図1〜図3を参照すると、この例では、空気流が離間領域Sから通気口26に供給され、その後に流路28に沿って供給される。離間領域Sからの空気は、以下でより詳細に説明するポケット構成66内の皿状壁40の外壁面68に沿って流れることができる。空気は、通気口26にアクセスする孔54内のレセプタクル16の側壁18の外面53に沿って流れる。複合構造アセンブリ41の外側で発生する空気圧が減少すると、孔54内の比較的高い空気圧は、皿状壁40および皿状壁40の外壁面68にわたる離間領域Sから空気を押し出す。空気が空気ポケット構成66内の皿状壁40の外壁面68に沿って通過するとき、空気は側壁18の外面53に接近し、側壁18に沿って通気口26へと移動し、穴14から空気を排出する流路28に従い、より具体的には、離間領域S内の空気圧を低下させる。オーバーレイ58の側面55に作用する孔54内の離間領域S内の空気圧が低下すると、側面55に及ぼされる空気圧は、孔54と整列したオーバーレイ58の対向側面57に対して位置する空気圧とより均等になる。
【００２４】
この例では、前述のように、第1のパネル42、ハニカムコア46および第2のパネル44を穿孔することで、孔54が形成されている。他の方法論を適用して孔54を形成することができ、所望のように孔54の形状を提供することもできる。この例では孔54が穿孔された結果、円筒状の孔62が第1のパネル42を通って延伸し、円筒状の孔が第2のパネル44を通って延伸する。皿状壁40がレセプタクル16より大きい寸法を有する状態で、皿状壁40の寸法に適合するように孔54が穿孔される。円筒形ドリルビットがハニカムコア46を切断するとき、中空管構造48の少なくともいくつかは、中空管構造48の内側を少なくとも部分的に切り開いて開けられ、皿状壁40の外壁面68に隣接する開放ポケット構造66を形成する。これにより、空気は、外壁面68に沿って、そして開放ポケット構造66を通って離間領域Sから移動し、側壁18の外面53とハニカムコア46との間に位置する領域69に達することができる。空気は、外面53に沿って通過し、通気口26にアクセスする。領域69は、側壁18とハニカム構造46との間に位置する領域69をもたらすレセプタクル16の寸法よりも大きな皿状壁40の寸法に適合するように穿孔された孔54の穿孔により形成されている。
【００２５】
開放ポケット構成66は、開放空間69と流体連通するように離間領域Sを提供し、複合構造アセンブリ41の外側に位置する空気圧よりも離間領域Sに位置する空気圧が高い状態で、空気は、離間領域Sから開放ポケット構成66を通って、外面53に沿った開放空間69および通気口26に流れる。通気口26に達する空気は、流路28に従って、基部12の穴14を通って出て、複合構造アセンブリ41内の離間領域S内に位置する空気圧を減少させる。これにより、離間領域Sの空気圧と、孔54を覆うオーバーレイ58の対向側面57に作用する空気圧との均衡がとられる。これらの空気圧の均衡により、オーバーレイ58は、孔54を覆うオーバーレイ58の平坦な位置を維持する。
【００２６】
図4および図5を参照すると、締め具アセンブリ70の第2の例が示されている。締め具アセンブリ70のこの第2の例で利用される構造が締め具アセンブリ10の第1の例に見られるものと同様である場合、同じ番号が利用される。第2の締め具アセンブリ70は、基部12を含み、この基部12は、基部12を通って延伸する穴14を画定する。レセプタクル16は基部12に接続されている。先に説明したように、基部12およびレセプタクル16は、一体構造であるか、または溶接または接着などを含む複数の方法の1つによって一緒に固定される二体構造であり得る。レセプタクル16は、側壁18を含み、側壁18は、レセプタクル16を通って延伸するチャネル20を画定する。チャネル20は、側壁18によって画定される第1の開口部22から、側壁18によって画定される第2の開口部24まで延伸する。上述したように、側壁18は基部12に接続されており、第2の開口部24は基部12の穴14と整列している。
【００２７】
この例では、締め具72は、シャフト76に接続されたヘッド74を含む。締め具72は、ヘッド74およびシャフト76を通って延伸する締め具チャネル78を画定する。締め具チャネル78は、ヘッド74によって画定される第1の開口部80から、シャフト76によって画定される第2の開口部82まで延伸する。ヘッド74は、レセプタクル16の側壁18によって画定される第1の開口部22よりも大きな寸法を有し、このため、ヘッド74が側壁18の第1の開口部22を覆う位置に配置された状態で、シャフト76は、レセプタクル16のチャネル20および基部12の穴14を通って延伸する。ヘッド74によって画定される第1の開口部80から、ヘッド74を通って延伸する締め具チャネル78を通る流路84が画定される。流路84は、シャフト76、およびシャフト76によって画定される第2の開口部82を通って延伸し続ける。
【００２８】
締め具アセンブリ10について先に説明したように、第2の締め具アセンブリ70は、この例では、レセプタクル16の側壁18から離れて横方向に延伸する環状プレート30を含む基部12を含む。この側壁18の例における内面32は、チャネル20のための円筒形状の境界を画定する。先に説明したように、基部12および側壁18の内面32の両方を、製造業者によって必要に応じて複数の形状から選択された形状とすることができる。シャフト76は、レセプタクル16内のチャネル20よりも小さい寸法を有する。この例では、皿状壁40は側壁18に接続され、ヘッド74の少なくとも一部が、図4および図5に見られるように、ヘッド74がレセプタクル16の第1の開口部22を覆う位置に配置されるように位置する。
【００２９】
締め具アセンブリ70は、第2のパネル44から離間した第1のパネル42と、その間に位置するハニカムコア46とをさらに含む。ハニカムコア46は、先に説明したように、複合構造アセンブリ41を構成する第1のパネル42および第2のパネル44に固定される。孔54は、第1のパネル42、ハニカムコア46および第2のパネル44によって画定され、それらを通って延伸している。レセプタクル16の少なくとも一部が孔54内に配置された状態で、基部12は、基部12と第2のパネル44との間に気密シールを提供する接着剤56で第2のパネル44に接着される。
【００３０】
オーバーレイ58は、先に説明したように、テープ、カーペット、ギャレーマット、装飾的な壁のカバーなどの複数のカバーの1つを含むことができる。オーバーレイ58は、第1のパネル42および第1のパネル42を通って延伸する孔54を覆うように配置される。オーバーレイ58は、オーバーレイ58と第1のパネル42との間に気密シールを提供するように接着剤60で第1のパネル42に接着される。
【００３１】
オーバーレイ58が第1のパネル42に接着され、ヘッド74と皿状壁40を覆い、オーバーレイ58の側面55がヘッド74と皿状壁40から離間した状態で、離間領域Sが形成される。離間領域Sは、第1の開口部80および締め具チャネル78と流体連通しており、複合構造アセンブリ41の外側で発生する空気圧が低下すると、孔54内の比較的高い空気圧が孔54内の離間領域S内の空気を押して、空気は第1の開口部80および締め具チャネル78を通って、第2の開口部82から出る。その結果、離間領域S内の空気圧が減少し、離間領域S内の空気圧がオーバーレイ58の側面55に作用し、孔54に対応する位置でオーバーレイ58の対向側面57に作用する複合構造アセンブリ41の外側に位置する空気圧と均衡する。オーバーレイ58の側面55と対向側面57の圧力の均等化により、航空機が上昇して高度に達するとオーバーレイ58が平坦な位置を維持する。
【００３２】
図6を参照すると、図1〜図3に示すように、複合構造アセンブリ41のようなハニカムコアパネルを通気する方法100が提供される。ハニカムコアパネル41は、第2のパネル44から離間した第1のパネル42と、第1のパネル42と第2のパネル44との間に位置するハニカム構造46とを含む。方法100は、第1のパネル42、ハニカム構造46および第2のパネル44を通って延伸するハニカムコアパネル41内に、先に説明したように、孔54を形成するためのステップ102を含む。方法100は、レセプタクル16を孔54に挿入するステップ104をさらに含み、レセプタクル16は、側壁18によって画定される第1の開口部22から側壁18によって画定される第2の開口部24までレセプタクル16を通って延伸するチャネル20を画定する側壁18を有する。レセプタクル16において、側壁18は、側壁18の外面53からチャネル20へのアクセスを提供する、第1の開口部22と第2の開口部24との間に位置する通気口26を画定する。また、ステップ104には、側壁18接続された基部12であって第2の開口部24が基部12の穴14と整列する基部12を第2のパネル44に固定するステップが含まれる。
【００３３】
方法は、締め具34をチャネル20に挿入するステップ106をさらに含み、締め具34は、ヘッド36およびヘッド36に接続されたシャフト38を含む。ヘッド36は、レセプタクル16の第1の開口部22よりも大きい寸法を有し、シャフト38は、レセプタクル16のチャネル20および基部12の穴14よりも小さい寸法を有する。ヘッド36がレセプタクル16の第1の開口部22を閉鎖する位置にある状態で、シャフト38は、チャネル20および基部12の穴14を通って、基部12の穴14から出るように延伸して、流路28を形成し、この流路28は、通気口26、レセプタクル16のチャネル20、および基部12の穴14を通る。
【００３４】
孔54を形成するステップ102は、複数の中空管構造48を含むハニカム構造46を通る孔54を穿孔するステップを含み、各中空管構造48は、第1のパネル42に接着された第1の端部49および第2のパネル44に接着された第2の端部51を有する。穿孔するステップは、図2に示すように、開放ポケット構成66を形成する少なくとも1つの中空管構造48の側壁（図示せず）を切断するステップを含む。
【００３５】
レセプタクル16を孔54に挿入するステップ104は、レセプタクル16の側壁18と、少なくとも1つの開放ポケット構成66に隣接する通気口26とを位置決めするステップを含む。基部12を固定するステップは、基部12と第2のパネル44との間に気密シールを形成するように接着剤56で基部12を第2のパネル44に接着するステップを含む。
【００３６】
レセプタクル16を孔54に挿入するステップ104は、レセプタクル16の端部77を第2のパネル44の孔54を通じて挿入し、第1のパネル42の外面75から離してレセプタクル16の端部77を位置決めするステップを含む。方法100は、図1および図2に示すように、オーバーレイ58を第1のパネル42の外面75上に位置決めし、第1のパネル42に位置する孔54を覆い、オーバーレイ58と締め具34のヘッド36との間に位置する孔54内に離間領域Sを形成するステップをさらに含む。オーバーレイ58を第1のパネル42の外面75に接着させ、オーバーレイ58と第1のパネル42との間に気密シールを形成するステップがさらに含まれる。
【００３７】
図7を参照すると、図4および図5に見られるような、複合構造アセンブリ41などのハニカムコアパネルを通気するための別の方法108が示されている。複合構造アセンブリ41は、第2のパネル44から離間した第1のパネル42と、第1のパネル42と第2のパネル44との間に位置するハニカム構造46とを含む。方法108は、第1のパネル42、ハニカム構造46および第2のパネル44を通って延伸するハニカムコアパネル41内に孔54を形成するステップ110を含む。
【００３８】
方法108は、レセプタクル16を孔54に挿入するステップ112をさらに含み、レセプタクル16は、側壁18によって画定される第1の開口部22から側壁18によって画定される第2の開口部24までレセプタクル16を通って延伸するチャネル20を画定する側壁18を有する。ステップ112は、側壁18に接続された基部12であって第2の開口部24が基部12の穴14と整列する基部12を第2のパネル44に固定するステップをさらに含む。
【００３９】
方法108は、締め具72をチャネル20に挿入するステップ114をさらに含み、締め具72はシャフト76に接続されたヘッド74を含み、ヘッド74は第1の開口部22より大きな寸法を有する。締め具72は、ヘッド74およびシャフト76を通って延伸する締め具チャネル78を有する。締め具チャネル78は、ヘッド74によって画定される第1の開口部80から、シャフト76によって画定される第2の開口部82まで延伸する。ヘッド74が側壁18の第1の開口部22を覆うように配置された状態で、シャフト76は、レセプタクル16のチャネル20および基部12の穴14を通って延伸し、第1の開口部から延伸する締め具チャネルで流路を形成し、この流路は、離間領域Sと流体連通する孔内に位置し、ヘッド74によって画定され、ヘッド74およびシャフト76ならびにシャフト76の第2の開口部82を通って延伸する。
【００４０】
孔54を形成するステップ110は、第1のパネル42および第2のパネル44ならびにハニカム構造46を通る孔54を穿孔するステップ含む。レセプタクル16を孔54に挿入するステップ112は、レセプタクル16の端部77を第2のパネル44で孔54を通じて挿入し、第1のパネル42の外面75から離してレセプタクル16の端部77を位置決めするステップを含む。ステップ112は、基部12を固定するステップをさらに含み、このステップは、基部12を第2のパネル44に接着し、基部12と第2のパネル44との間に気密シールを形成するステップを含む。
【００４１】
方法108は、図4および図5に示すように、オーバーレイ58を第1のパネル42の外面75上に位置決めし、第1のパネル42に位置する孔54を覆い、オーバーレイ58と締め具72のヘッド74との間に位置する孔54内に離間領域Sを形成するステップをさらに含む。オーバーレイ58を第1のパネル42の外面75に接着させ、オーバーレイ58と第1のパネル42との間に気密シールを形成するステップがさらに含まれる。
【００４２】
さまざまな実施形態について上述したが、本開示はそれに限定されるものではない。添付の特許請求の範囲の範囲内にある開示された実施形態に変更を加えることができる。
【符号の説明】
【００４３】
10  締め具アセンブリ
12  基部
14  穴
16  レセプタクル
18  側壁
20  チャネル
22  第1の開口部
24  第2の開口部
26  通気口
28  流路
30  環状プレート
32  内面
34  締め具
36  ヘッド
38  シャフト
40  皿状壁
41  複合構造アセンブリ，ハニカムコアパネル
42  第1のパネル
44  第2のパネル
46  ハニカムコア
48  中空管構造
49  第1の端部
50  接着剤
51  第2の端部
52  接着剤
53  外面
54  孔
55  側面
56  接着剤
57  対向側面
58  オーバーレイ
60  接着剤
62  孔
66  開放ポケット構成
68  外壁面
69  領域，開放空間
70  締め具アセンブリ
72  締め具
74  ヘッド
75  外面
76  シャフト
77  端部
78  締め具チャネル
80  第1の開口部
82  第2の開口部
84  流路
【図１】
2018118718.tif 000003
【図２】
2018118718.tif 000004
【図３】
2018118718.tif 000005
【図４】
2018118718.tif 000006
【図５】
2018118718.tif 000007
【図６】
2018118718.tif 000008
【図７】
2018118718.tif 000009
【外国語明細書】
2018118718000001.pdf